(57)【要約】【課題】コネクタ同士がプリセット状態にない以上、使用者がメインレバー操作を行えないようにしたレバー式電気コネクタを提供する。【解決手段】互いに嵌合される一対のコネクタの一方にロックアーム１１を設け、他方のコネクタにロックアーム１１に係合する戻り止めを設け、略円筒状をしたコネクタケース１０と、コネクタケース１０に揺動可能に収納されるロックアーム１１と、コネクタケース１０の内部に摺動可能に配設されるコネクタ本体１３と、コネクタ本体１３を前進・後退させるハンドル１４と、ハンドル１４を前進・後退させるメインレバー１５とを備え、かつコネクタケース１０にセミロックアーム１２を揺動可能に収納し、他方のコネクタがセミロックアーム１２の先端を押圧していないときはセミロックアーム１２の後端がハンドル１４の前進を阻止するようにした。【選択図】図４
2010287435.tif 000002
【特許請求の範囲】
【請求項１】
互いに嵌合される一対のコネクタの一方にロックアームを設け、他方のコネクタに前記ロックアームに係合する戻り止めを設けて、前記ロックアームと前記戻り止めの係合により両コネクタの仮嵌合状態を保持すると共に、両コネクタの本嵌合により各コネクタに収容された端子同士を接触させて電気的接続を行うレバー式電気コネクタであって、
内部が空洞の略円筒状をしたコネクタケースと、前記コネクタケースに揺動可能に収納される前記ロックアームと、前記コネクタケースの内部に摺動可能に配設されるコネクタ本体と、前記コネクタケースの内部に前進・後退可能に配設されて前記コネクタ本体を前進・後退させるハンドルと、前記ハンドルを前進・後退させるメインレバーと、前記ロックアームに当接して前記ロックアームを揺動させて係合状態を解除するリリースレバーとを備えて成るレバー式電気コネクタにおいて、
前記コネクタケースにセミロックアームを揺動可能に収納し、前記他方のコネクタが前記セミロックアームの先端を押圧していないときは前記セミロックアームの後端が前記ハンドルの前進を阻止し、前記他方のコネクタが前記セミロックアームの先端を押圧したときに前記セミロックアームの後端が前記ハンドルの前進を自由にすることを特徴とするレバー式電気コネクタ。
【請求項２】
前記ロックアームに段部を形成し、前記コネクタ本体の前記ロックアームに対向する部位に前記段部に係合する本体側段部を形成し、前記ロックアームが前記他方のコネクタと接触してから前記他方のコネクタの前記戻り止めと係合するまでの間、前記ロックアームの段部と前記コネクタ本体の前記本体側段部とが係合して、前記ハンドルの前進を阻止し、
前記ロックアームが前記他方のコネクタの前記戻り止めと係合したら、前記ロックアームの段部と前記コネクタ本体の前記本体側段部との係合が解除されることを特徴とする請求項１記載のレバー式電気コネクタ。
【請求項３】
前記他方のコネクタが前記セミロックアームの先端を押圧して前記セミロックアームの後端が前記ハンドルの前進を自由にしたとき、前記ロックアームの段部と前記コネクタ本体の前記本体側段部とが既に係合して、前記ハンドルの前進を阻止していることを特徴とする請求項２記載のレバー式電気コネクタ。
【発明の詳細な説明】
【技術分野】
【０００１】
本発明は、例えば電気自動車の充電に用いられる一対の雌・雄コネクタから成るレバー式電気コネクタの接続端子どうしの摩擦抵抗ゼロでオス側コネクタをメス側コネクタに挿入できる電気コネクタに関するもので、特に、誤操作を防止することのできるレバー式電気コネクタに関するものである。
【背景技術】
【０００２】
〈レバー式電気コネクタの公知文献〉
一対の雌・雄コネクタから成る電気コネクタの接続端子どうしの摩擦抵抗ゼロで挿入できるレバー式電気コネクタとしては、本出願人の先行発明が存在しており、それぞれ特許文献１および２に詳しく開示されているところである。
【先行技術文献】
【特許文献】
【０００３】
【特許文献１】特開平１０−２７５６５３号公報
【特許文献２】特開平０８−７８０９５号公報
【０００４】
〈特許文献２のレバー式電気コネクタ〉
特許文献１のレバー式電気コネクタの改良発明に係る特許文献２のレバー式電気コネクタは、アース接続に関するもので、例えば電気自動車の充電に用いられる給電コネクタにおいて、雌・雄コネクタの電源端子同士が接触する前に、両コネクタのアース回路が接続し、コネクタの帯電を安全に除去できるようにしたものである。
そのために、具体的には、互いに嵌合される一対のコネクタの一方に仮ロック部材を設け、他方のコネクタにこのロック部材に係合する戻り止めを設けて、仮ロック部材と戻り止めの係合により両コネクタの仮嵌合状態を保持すると共に、両コネクタの本嵌合により、各コネクタに収容された端子同士を接触させて電気的接続を行うレバー式電気コネクタにおいて、一対のコネクタの仮ロック手段を構成する仮ロック部材と戻り止めとをそれぞれアース回路に使用し、両コネクタを仮ロックすることにより、端子同士の接触前にロック手段を介して互いのアース回路を接続させるものである。
【０００５】
〈特許文献２のレバー式電気コネクタの欠点〉
図１７および図１８は特許文献２のレバー式電気コネクタを示す縦断面図で、図１７は嵌合前、図１８は嵌合後である。
ところが、特許文献２の低挿入力レバー式コネクタ１００の欠点は、図１７のようにコネクタを「プリセット」していない状態で、メインレバー１１５を動作させることが可能となってしまうことであった。
ここで「プリセット」とは、レバー式電気コネクタ１００が相手側メスコネクタ２００に挿入され、ロックアーム１１１のロック部１１１Ｋがメスコネクタ２００の先端２２３内側のロック部２２３Ｋに係止されている状態のことを意味している。
ロックアーム１１１のロック部１１１Ｋがメスコネクタ２００のロック部２２３Ｋに係止されていない状態でメインレバー１１５を図１８のように手元に引いて操作してしまうと、コネクタ内部のワイヤハーネスアセンブリを含むコネクタ本体１１３が図１８のように前方へ可動し、嵌合状態の位置でリリースレバー１１６のロック部１１６Ｒにメインレバー１１５のロック部１１５Ｒが突き当たり、コネクタ未嵌合状態でロックされて、メス側コネクタ２００に嵌合できなくなり、コネクタの破損などが発生する恐れがあった。
【発明の概要】
【発明が解決しようとする課題】
【０００６】
〈本発明の目的〉
本発明は、このような問題点に着目してなされたものであり、コネクタを「プリセット」していない状態ではメインレバーを操作させないようにしてメインレバーの誤操作を防止すると共に、コネクタを「プリセット」してようやくメインレバーを操作可能とした低挿入力のレバー式コネクタを提供することで、これによりメインレバーの誤操作によるコネクタの破損などを防止することを目的としている。
【課題を解決するための手段】
【０００７】
上記課題を解決するために、レバー式電気コネクタの第１の発明は、互いに嵌合される一対のコネクタの一方にロックアームを設け、他方のコネクタに前記ロックアームに係合する戻り止めを設けて、前記ロックアームと前記戻り止めの係合により両コネクタの仮嵌合状態を保持すると共に、両コネクタの本嵌合により各コネクタに収容された端子同士を接触させて電気的接続を行うレバー式電気コネクタであって、内部が空洞の略円筒状をしたコネクタケースと、前記コネクタケースに揺動可能に収納される前記ロックアームと、前記コネクタケースの内部に摺動可能に配設されるコネクタ本体と、前記コネクタケースの内部に前進・後退可能に配設されて前記コネクタ本体を前進・後退させるハンドルと、前記ハンドルを前進・後退させるメインレバーと、前記ロックアームに当接して前記ロックアームを揺動させて係合状態を解除するリリースレバーとを備えて成るレバー式電気コネクタにおいて、前記コネクタケースにセミロックアームを揺動可能に収納し、前記他方のコネクタが前記セミロックアームの先端を押圧していないときは前記セミロックアームの後端が前記ハンドルの前進を阻止し、前記他方のコネクタが前記セミロックアームの先端を押圧したときに前記セミロックアームの後端が前記ハンドルの前進を自由にすることを特徴としている。
【０００８】
また、第２の発明は、第１の発明において、前記ロックアームに段部を形成し、前記コネクタ本体の前記ロックアームに対向する部位に前記段部に係合する本体側段部を形成し、前記ロックアームが前記他方のコネクタと接触してから前記他方のコネクタの前記戻り止めと係合するまでの間、前記ロックアームの段部と前記コネクタ本体の前記本体側段部とが係合して、前記ハンドルの前進を阻止し、前記ロックアームが前記他方のコネクタの前記戻り止めと係合したら、前記ロックアームの段部と前記コネクタ本体の前記本体側段部との係合が解除されることを特徴としている。
【０００９】
また、第３の発明は、第２の発明において、前記他方のコネクタが前記セミロックアームの先端を押圧して前記セミロックアームの後端が前記ハンドルの前進を自由にしたとき、前記ロックアームの段部と前記コネクタ本体の前記本体側段部とが既に係合して、前記ハンドルの前進を阻止していることを特徴としている。
【発明の効果】
【００１０】
第１の発明によれば、他方のコネクタがセミロックアームの先端を押圧していないとき、セミロックアームの後端がハンドルの前進を阻止しているので、レバー式電気コネクタを「プリセット」していない状態でメインレバーをロックすることが阻止できる。したがって、使用者が間違った操作を行い、嵌合時の誤挿入・挿入不可といった現象を起こさないようにできる。また、使用者が誤った使用をできないよう抑制することで、操作が判り易くなるため、故障を防ぐことができる。
【００１１】
第２の発明によれば、ロックアームが他方のコネクタと接触してからそれの戻り止めと係合するまでの間、ロックアームの段部とコネクタ本体の本体側段部とが係合してハンドルの前進を阻止しているので、レバー式電気コネクタを「プリセット」していない状態でメインレバーをロックすることが阻止できる。したがって、使用者が間違った操作を行い、嵌合時の誤挿入・挿入不可といった現象を起こさないようにできる。
【００１２】
第３の発明によれば、他方のコネクタがセミロックアームの先端を押圧してセミロックアームの後端がハンドルの前進を自由にしたとき、ロックアームの段部とコネクタ本体の本体側段部とが既に係合しているので、他方のコネクタの嵌合前からロックアームが他方のコネクタの戻り止めと係合するまでの間、一貫してハンドルの前進を阻止することができる。
【図面の簡単な説明】
【００１３】
【図１】図１は本発明に係るオス側コネクタの斜視図である。
【図２】図２は本発明に係るレバー式電気コネクタのロックアームおよびセミロックアームがいずれも相手側コネクタと接触していない状態を示す側面図である。
【図３】図３は本発明に係るレバー式電気コネクタのセミロックアームのみが相手側コネクタと接触した状態を示す側面図である。
【図４】図４は本発明に係るレバー式電気コネクタのロックアームおよびセミロックアームがいずれも相手側コネクタと接触した状態（すなわち、「プリセット」状態）を示す側面図である。
【図５】図５はオス側コネクタとメス側コネクタがまだ離れている状態を示す縦断面図である。
【図６】図６は図５の要部拡大断面図である。
【図７】図７はオス側コネクタとメス側コネクタが接触したものの、ロックアームのロック部もセミロックアームの先端の隆起部もメス側コネクタ本体に押圧されていない状態を示す縦断面図である。
【図８】図８は図７の要部拡大断面図である。
【図９】図９はオス側コネクタとメス側コネクタが接触し、ロックアームのロック部はメス側コネクタ本体に押圧されたが、セミロックアームの先端の隆起部はまだ押圧されていない状態を示す縦断面図である。
【図１０】図１０は図９の要部拡大断面図である。
【図１１】図１１はロックアームのロック部およびセミロックアームの先端の隆起部がいずれもメス側コネクタ本体に押圧された状態を示す縦断面図である。
【図１２】図１２は図１１の要部拡大断面図である。
【図１３】図１３はロックアームのロック部がメス側コネクタ本体の「戻り止め」であるロックと係合し、かつセミロックアームの先端の隆起部はメス側コネクタ本体に押圧された「プリセット」状態を示す縦断面図である。
【図１４】図１４は図１３の要部拡大断面図である。
【図１５】図１５は「プリセット」状態になって、実際にメインレバーを操作した状態を示す縦断面図である。
【図１６】図１６は図１５の要部拡大断面図である。
【図１７】図１７は特許文献２のレバー式電気コネクタが嵌合する前の状態を示す要部縦断面図である。
【図１８】図１８は図１７のレバー式電気コネクタの嵌合後の要部縦断面図である。
【発明を実施するための形態】
【００１４】
コネクタを「プリセット」していない状態ではメインレバーを操作させないようにし、コネクタを「プリセット」してようやくメインレバーを操作可能とする本発明に係るレバー式電気コネクタの実施形態について、図面を用いて説明する。
【００１５】
〈本発明に係るオス側コネクタ１の構成と作用の概説〉
図１は本発明に係るオス側コネクタの斜視図である。
図１において、１は本発明に係るレバー式電気コネクタのオス側コネクタで、給電装置に設けられる給電側コネクタである。オス側コネクタ１は、内部が空洞で略円筒状をしたコネクタケース１０と、このコネクタケース１０の内部に収納され先頭部分だけコネクタケース１０の開口部から露出した旋回可能なロックアーム１１（図４）と本発明によって設けられたセミロックアーム１２（図４）と、コネクタケース１０の内部に摺動可能に配設されるコネクタ本体１３と、このコネクタ本体１３を前進・後退せしめるハンドル１４（図５）と、このハンドル１４を前進・後退させるメインレバー１５と、旋回可能なロックアーム１１に当接してこれを旋回させるリリースレバー１６（図３、図４）と、ハンドル１４を保護するグリップ１７とを備えている。
オス側コネクタ１の前半部にはコネクタ本体１３が摺動可能に内装され、後半部にはコネクタ本体１３を前進させるハンドル１４があり、本発明によりコネクタが「プリセット」してようやくメインレバー１５が操作可能となるものであり、メインレバー１５の回動操作によりハンドル１４（図５参照）が前進することでその前方にあるコネクタ本体１３が前進して受電側コネクタ２（図５参照）の方向に低挿入力で押しつけられて本嵌合することとなる。
【００１６】
以下、本発明に係るコネクタの嵌合動作を可能ならしめる各部品について、その形状・構造・機能について順を追って説明する。
【００１７】
〈コネクタケース１０の構成〉
コネクタケース１０（図１、図５）は内部が空洞で略円筒状をしており、上部にロックアーム室１０Ｒ（図１、図５）が形成され、さらにこのロックアーム室１０Ｒの後方に膨出形成されたＬＥＤ収容部１０Ｌ（図１、図５）が形成されている。ＬＥＤ収容部１０Ｌ内にはＬＥＤが取りつけられ、給電中であることを表示している。
コネクタケース１０の内部空洞部には、ロックアーム１１（図３、図４）が揺動可能に収納され、その先端１１Ｋ（図１、図４）を開口部から外に露出している。このロックアーム１１の後方に当接してロックアーム１１を揺動させて係合状態を解除するリリースレバー１６（図３、図４）が揺動可能に収納されている。また、コネクタケース１０の内部にはコネクタ本体１３（図１、図４、図５）が摺動可能に配設されている。このコネクタ本体を前進・後退させるハンドル１４（図５）と、ハンドル１４を前進・後退させるメインレバー１５（図１、図２、図４）の頭部も収納されている。
【００１８】
〈ロックアーム１１の構成〉
ロックアーム１１（図４、図６）はその中間部１１Ｐがコネクタケース１０にピンにより旋回可能に軸支され、その前方先端１１Ａがロックアーム室の開口からコネクタケース１０の外周にのび、先端にフック状の係止片１１Ｋが突設され、他端は後方にのびて、リリースレバー１６の作用アーム１６Ａに対する作用片１１Ｂとして形成される。
さらに、支点１１Ｐと先端の係止片１１Ｋとの中間に外側に向けてクランク状に屈曲させた段差部１１Ｃが本発明によって形成されている。このロックアーム１１はばねによって先端１１Ａが常時外側に付勢されている。
そこで、ロックアーム１１の後端の作用片１１Ｂ（図３）がリリースレバー１６（図３）の先端１６Ａにより上へ押し上げられると、ロックアーム１１の先端の係合片１１Ｋは下へ下がりメス側コネクタとの嵌合が解除できるようになる。また、リリースレバー１６（図３）が下がるとロックアーム１１の後端の作用片１１Ｂは自由になるのでバネ付勢によってロックアーム１１の先端の係合片１１Ｋは上へ上がり、メス側コネクタと嵌合した状態になる。
【００１９】
〈セミロックアーム１２の構成〉
セミロックアーム１２（図４、図８）は本発明によって設けられた部材である。
セミロックアーム１２は中間部１２Ｐがピンによってコネクタケース１０に軸支され、その前方先端には隆起部１２Ｓが突設され、バネによって常時隆起部１２Ｓが外側に付勢されている。他端１２Ｂは後方にのびており、これがハンドル１４（図８）の先端部の突起１４Ｃに当接していると、ハンドル１４は前進できない。
メス側コネクタ２のコネクタ本体２３がオス側コネクタ１のコネクタ本体１３と嵌合し始めると、コネクタ本体２３によって先端の隆起部１２Ｓが押圧されてピン１２Ｐを中心に旋回し、他端１２Ｂがハンドル１４の先端部の突起１４Ｃから離反する。この結果、メインレバー１５を操作するとハンドル１４は前進することができるようになる。
【００２０】
〈コネクタ本体１３の構成〉
コネクタ本体１３（図１）は円筒状であり、内部の左右両側に太径の端子収容室１３Ｒ、１３Ｒが、上下に複合端子収容室１３Ｓ、１３Ｓが、それぞれ内側から突設されている。端子収容室１３Ｒは、電源端子としての雄端子が収容係止され、複合端子収容室１３Ｓの４個のキャビティには信号・表示などの制御回路用の雄端子がそれぞれ収容係止されている。そして、コネクタ本体１３は、コネクタケース１０の内壁と摺接している。
本発明によりメインレバー１５が操作可能となると（図１４）、メインレバー１５が操作され（図１６）ハンドル１４（図１６）が前進して、ハンドル１４と結合されたコネクタ本体１３もコネクタケース１０の内壁を摺接して前進する。そして最終的には、嵌合前の位置１３’（図１６）からストロークＬだけ移動して相手のコネクタ本体と嵌合することができる。
【００２１】
〈ハンドル１４の構成〉
ハンドル１４（図５）は前半の直管部１４Ａと後半のく字状に傾斜した斜管部１４Ｂとから成り、前記ケーブルＣのリード線に対するプロテクタを兼用している。
前半の直管部１４Ａはコネクタケース１０の後端部の開孔に摺動自在に支持され、斜管部１４Ｂの後端部にはケーブルＣの保護ケースが係止されている。直管部１４Ａの先頭近傍側面には本発明によりハンドル突起１４Ｃが形成されており、この突起１４Ｃがセミロックアーム１２の他端１２Ｂ（図８）と当接すると、ハンドル１４は前進できなくなる。
【００２２】
〈メインレバー１５の構成〉
メインレバー１５（図１、図２）は長い操作部１５Ａと短い作用部１５Ｂとが交叉するＬ字形に形成されている。作用部１５Ｂはその交叉基部に長孔１５Ｃを有し、コネクタケース１０の後半部においてレバー軸１０Ｃ（図１４）により枢着されている。
また、作用部１５Ｂの先端部はＹ字状の二股状の支持片１５Ｄが形成され、各支持片１５Ｄはハンドル１４の直管部１４Ａの側壁に設けた軸孔とコネクタケース１０の内壁に突設した横長孔に挿着したピン１５Ｐで軸支されている。
【００２３】
〈リリースレバー１６の構成〉
リリースレバー１６（図３）はコネクタ本体１３の軸方向にのびる作用アーム１６Ａとアーム１６Ａの他端から垂下する係止アーム１６ＢとによりＬ字状に形成されている。アーム１６Ａの中間部はハンドル１４の上方においてコネクタケース１０内壁のボス間に介装した平行ピン１６Ｐにより回動自在に保持されている。
ロックアーム１１の後端の作用片１１Ｂ（図３）がリリースレバー１６（図３）の先端１６Ａにより上へ押し上げられると、ロックアーム１１の先端の係合片１１Ｋは下へ下がりメス側コネクタとの嵌合が解除できるようになり、リリースレバー１６（図３）が下がるとロックアーム１１の後端の作用片１１Ｂは自由になるのでバネ付勢によってロックアーム１１の先端の係合片１１Ｋは上へ上がり、メス側コネクタと嵌合した状態になる。
【００２４】
〈グリップ１７の構成〉
グリップ１７（図５）は合成ゴムなどの弾性部材から成り、前方に蛇腹部１７Ｊを介して防水キャップ１７Ｃが連成され、コネクタケース１０の後端の環状溝１０Ｃに嵌着されている。
【００２５】
〈「プリセット」の定義と「プリセット」になるとメインレバーが操作可能となる理由〉
次ぎに、ロックアーム１１とセミロックアーム１２がどのように動作することで「プリセット」状態になり、「プリセット」になるとどうしてメインレバーが操作可能となるのかについて図２〜図４で概略を説明する。
【００２６】
《「プリセット」の定義》
本発明に係るレバー式電気コネクタの説明で用いる「プリセット」とは、
（Ａ）レバー式電気コネクタ１が相手側コネクタ２に挿入され、ロックアーム１１の係止片１１Ｋ（図１４）がメスコネクタの先端２３（図１４）のロック部２３Ｋに係止された状態になり（注：従来製品でいう「プリセット」はここまでの状態を言ったが、本発明ではさらに、）、
なおかつ、（Ｂ）セミロックアーム１２（図１４）の隆起部１２Ｓ（図１４）がメスコネクタの先端２３（図１４）の可動面２３Ｓ（図１４）に押し込まれている状態（すなわち、図１４の状態）になったこと、を指している。
【００２７】
《「プリセット」になるとメインレバーが操作可能となる理由》
図２〜図４は本発明に係るレバー式電気コネクタの側面図で、図２は上記プリセットの定義のＡでもＢでもない状態、図３はＡでないがＢである状態、図４はＡでありかつＢである状態（プリセット状態）をそれぞれ示している。
図２において、ロックアーム１１の係止片１１Ｋもセミロックアーム１２の先端の隆起部１２Ｓもコネクタ本体１３の表面から離れた状態にあり、この状態ではメインレバーは操作可能とならない。
その理由は、セミロックアーム１２の後端１２Ｂがハンドル１４の先端近傍の突起１４Ｃに当接してハンドル１４の前進を阻止しているからである（後で詳述する。）。
図３において、ロックアーム１１の係止片１１Ｋもセミロックアーム１２の先端の隆起部１２Ｓも相手側コネクタによって押圧されコネクタ本体１３の表面に接した状態にあるのでセミロックアーム１２（図１２）の後端１２Ｂがハンドル１４の突起１４Ｃから離反してハンドル１４の前進を阻止しなくなっているが、ロックアーム１１の段差部分１１Ｄがコネクタ本体１３の本体段部１３Ｄと係合したので、やはりこの状態ではメインレバー１５は操作可能とならない（後で詳述する。）。
図４において、ロックアーム１１の係止片１１Ｋは再びコネクタ本体１３の表面から離れた状態になり、かつセミロックアーム１２の先端の隆起部１２Ｓは相手側コネクタによって押圧されているので図３と同じくハンドル１４の前進を阻止しなくなっているので、メインレバー１５は操作可能となり、メインレバー１５が図４のように操作されて、コネクタ本体１３が図のように前進する（後で詳述する。）。
【００２８】
次ぎに図５〜図１６を用いてレバー式電気コネクタに相手のコネクタが本嵌合するまでの一連の動作を詳しく説明する。
〈オス側コネクタ１とメス側コネクタ２が離れている状態：図５と図６〉
図５と図６はオス側コネクタ１とメス側コネクタ２が離れている状態を示す図で、図５は縦断面図、図６は要部拡大断面図である。
両図において、オス側コネクタ１のコネクタ本体１３とメス側コネクタ２のコネクタ本体２３はまだ離れており、したがって図６のセミロックアーム１２の先端の、常時外側に付勢されている隆起部１２Ｓはメス側コネクタ２のコネクタ本体２３によってまだ押圧されていないため、セミロックアーム１２の後端１２Ｂがハンドル１４の先端近傍の突起１４Ｃに当接してハンドル１４の前進を阻止しており、この状態でメインレバー１５を操作しようとしても操作できない。コネクタ本体１３とハンドル１４は機械的に結合しており、ハンドル１４を前進させるとコネクタ本体１３も前進する。図に機械的結合を描くと見難くなるので、コネクタ本体１３とハンドル１４が機械的結合関係にあることを図では単に両者を点線で結んで示している（以下の図でも同様である）。
【００２９】
〈係止片１１Ｋも隆起部１２Ｓも押圧されていない状態：図７と図８〉
図７と図８はオス側コネクタ１とメス側コネクタ２が互いに接触したものの、ロックアーム１１の係止片１１Ｋもセミロックアーム１２の先端の隆起部１２Ｓもメス側コネクタ本体２３に押圧されていない状態を示す図で、図７は縦断面図、図８は要部拡大断面図である。
両図において、オス側コネクタ１のコネクタ本体１３とメス側コネクタ２のコネクタ本体２３は接触したものの、ロックアーム１１の係止片１１Ｋもセミロックアーム１２の先端の隆起部１２Ｓもメス側コネクタ本体２３に押圧されていない。
したがって図８のセミロックアーム１２の隆起部１２Ｓはメス側コネクタ２のコネクタ本体２３によってまだ押圧されていないため、図６と同じく、セミロックアーム１２の後端１２Ｂがハンドル１４の先端近傍の突起１４Ｃに当接してハンドル１４の前進を阻止しており、この状態でメインレバー１５を操作しようとしても操作できない。
【００３０】
〈係止片１１Ｋのみが押圧された状態：図９と図１０〉
図９と図１０はオス側コネクタ１とメス側コネクタ２が接触しロックアーム１１の係止片１１Ｋはメス側コネクタ本体２３に押圧されたが、セミロックアーム１２の先端の隆起部１２Ｓはまだ押圧されていない状態を示す図で、図９は縦断面図、図１０は要部拡大断面図である。
図１０のセミロックアーム１２の隆起部１２Ｓはメス側コネクタ２のコネクタ本体２３によってまだ押圧されていないため、図６と同じく、セミロックアーム１２の後端１２Ｂがハンドル１４の先端近傍の突起１４Ｃに当接してハンドル１４の前進を阻止しており、この状態でメインレバー１５を操作しようとしても操作できない。
なお、ロックアーム１１の係止片１１Ｋはメス側コネクタ本体２３に押圧されたのでこの状態ではロックアーム１１側によってもメインレバー１５は操作が阻止されるようになっているが、その理由は図１１と図１２の説明に譲る。
【００３１】
〈係止片１１Ｋも隆起部１２Ｓも押圧された状態：図１１と図１２〉
図１１と図１２はロックアーム１１の係止片１１Ｋもセミロックアーム１２の先端の隆起部１２Ｓもメス側コネクタ本体２３に押圧された状態を示す図で、図１１は縦断面図、図１２は要部拡大断面図である。
両図において、セミロックアーム１２の隆起部１２Ｓはメス側コネクタ２のコネクタ本体２３によって押圧されたため、セミロックアーム１２の後端１２Ｂがハンドル１４の先端近傍の突起１４Ｃから離反してハンドル１４の前進を自由にしているが、しかし、ロックアーム１１の係止片１１Ｋが図１２で示すようにメス側コネクタ本体２３に押圧されたので係止片１１Ｋが沈み、この沈んだ状態ではロックアーム１１の本発明によって設けられた段差部分１１Ｄが同じく本発明によって設けられたコネクタ本体１３の本体段部１３Ｄと係合してしまうため、コネクタ本体１３が前進しようとしても本体段部１３Ｄがロックアーム１１の段差部分１１Ｄにつっかえて前進できず、したがってメインレバー１５は操作可能とならない。
【００３２】
〈係止片１１Ｋが段差部２３Ｋと係合し、隆起部１２Ｓも押圧状態：図１３と図１４〉
図１３と図１４はロックアーム１１の係止片１１Ｋがメス側コネクタ本体２３の「戻り止め」であるロック部２３Ｋと係合し、かつセミロックアーム１２の先端の隆起部１２Ｓもメス側コネクタ本体２３に押圧された状態（すなわち、本発明で言う「プリセット」状態）を示す図で、図１３は縦断面図、図１４は要部拡大断面図である。
両図において、ロックアーム１１の係止片１１Ｋがメス側コネクタ本体２３の「戻り止め」であるロック部２３Ｋと係合したため、ロックアーム１１の係止片１１Ｋはもはやメス側コネクタ本体２３に押圧されないためコネクタ本体１３から離反し、ロックアーム１１の段差部分１１Ｄとコネクタ本体１３の本体段部１３Ｄとの係合が外れる。
また、セミロックアーム１２の後端１２Ｂも既にハンドル１４の先端近傍の突起１４Ｃから離反しているのでハンドル１４の前進を自由にしている。
したがって、ハンドル１４の前進を阻止する部材が進行方向に存在しなくなり、メインレバー１５を操作することが可能となる。
【００３３】
〈「プリセット」状態下でメインレバー１５を操作した状態：図１５と図１６〉
図１５と図１６は「プリセット」状態になって本発明によりメインレバー１５が操作可能となり、実際にメインレバー１５を操作した状態を示す図で、図１５は縦断面図、図１６は要部拡大断面図である。
両図において、メインレバー１５を操作した結果、コネクタ本体１３（図１６）はコネクタケース１０の内壁を摺接して前進し、嵌合前の位置１３’からストロークＬだけ移動して相手のコネクタ本体と本嵌合する。
【００３４】
以上のように、本発明によれば、コネクタケースにセミロックアームを揺動可能に収納し、他方のコネクタが前記セミロックアームの先端を押圧していないときはセミロックアームの後端がハンドルの前進を阻止し、他方のコネクタがセミロックアームの先端を押圧したときにセミロックアームの後端がハンドルの前進を自由にするようになるので、レバー式電気コネクタを「プリセット」していない状態でメインレバーをロックすることが阻止でき、したがって、使用者が間違った操作を行い、嵌合時の誤挿入・挿入不可といった現象を起こさないようにできる。また、使用者が誤った使用をできないよう抑制することで、操作が判り易くなるため、故障を防ぐことができることとなる。
【符号の説明】
【００３５】
１  本発明に係るレバー式電気コネクタのオス側コネクタ
１０  コネクタケース
１０Ｃ  レバー軸
１０Ｃ  環状溝
１０Ｌ  ＬＥＤ収容部
１０Ｒ  ロックアーム室
１１  ロックアーム
１１Ａ  前方先端
１１Ｂ  作用片
１１Ｃ  段差部
１１Ｐ  中間部（支点）
１１Ｋ  係止片
１２  セミロックアーム
１２Ｂ  アーム他端
１２Ｐ  アーム中間部
１２Ｓ  隆起部
１３  コネクタ本体
１３Ｒ  端子収容室
１３Ｓ  複合端子収容室
１４  ハンドル
１４Ａ  直管部
１４Ｂ  斜管部
１４Ｃ  ハンドル突起
１５  メインレバー
１５Ａ  操作部
１５Ｂ  作用部
１５Ｃ  長孔
１５Ｐ  ピン
１６  リリースレバー
１６Ａ  作用アーム
１６Ｂ  係止アーム
１６Ｐ  平行ピン
１７  グリップ
１７Ｃ  防水キャップ
１７Ｊ  蛇腹部
２  レバー式電気コネクタのメス側コネクタ
２３  メスコネクタの先端２
２３Ｋ  ロック部
【図１】
2010287435.tif 000003
【図２】
2010287435.tif 000004
【図３】
2010287435.tif 000005
【図４】
2010287435.tif 000006
【図５】
2010287435.tif 000007
【図６】
2010287435.tif 000008
【図７】
2010287435.tif 000009
【図８】
2010287435.tif 000010
【図９】
2010287435.tif 000011
【図１０】
2010287435.tif 000012
【図１１】
2010287435.tif 000013
【図１２】
2010287435.tif 000014
【図１３】
2010287435.tif 000015
【図１４】
2010287435.tif 000016
【図１５】
2010287435.tif 000017
【図１６】
2010287435.tif 000018
【図１７】
2010287435.tif 000019
【図１８】
2010287435.tif 000020